(57)【特許請求の範囲】
【請求項１】
長尺材から成り、予め定める壁面に長手方向をほぼ水平にして固定されるフレームと、
フレームに設けられ、医療用ガスが供給される接続端子と、
フレームに装着されるカバー本体であって、
フレームを上方から覆う上壁部、
フレームを前方から覆い、接続端子の少なくとも一部が露出する開口が形成される前壁部、
フレームを下方から覆う下壁部、
フレームを長手方向一方側から覆う一方の側壁部、および
フレームを長手方向他方側から覆う他方の側壁部を有するカバー本体と、
カバー本体の前壁部の外表面に設けられ、絵柄または文字によって表わされる予め定める表示情報を表示する表示シートとを含み、
前記表示シートは、
一方表面に、前記予め定める表示情報が印刷され、他方表面に、前記前壁部の外表面に対して着脱可能に貼着する粘着剤が塗布された基層フィルムと、
前記基層フィルムの前記予め定める表示情報が印刷された一方表面を被覆する透明な表面フィルムとを含むことを特徴とする医療用接続端子ユニット。
【請求項２】
前記上壁部は、各側壁部間にわたって凹凸状に湾曲して延びる天板と、天板の前記予め定める壁面側に配置される一側部から上方に突出する立上がり壁部とを有し、
天板には、長手方向に沿って延びる透孔が形成され、
フレームには、前記透孔に天板の下方から光を照射する照明手段が設けられ、透孔から放出される光の一部が立上がり壁部に投射されることを特徴とする請求項１に記載の医療用接続端子ユニット。
【請求項３】
前記予め定める表示情報は、患者の情動を鎮静するための絵柄であることを特徴とする請求項１または２に記載の医療用接続端子ユニット。
【請求項４】
前記予め定める表示情報は、患者に関する患者関連情報であることを特徴とする請求項１〜３のいずれか１つに記載の医療用接続端子ユニット。
【発明の詳細な説明】
【技術分野】
【０００１】
本発明は、小児病棟などの病室に好適に実施することができ、治療または処置に用いられる酸素ガスなどの医療用ガスが導かれるアウトレット、電力を供給する強電用接続端子およびナースコールなどの電気信号などの弱電用接続端子などを装備した医療用接続端子ユニットに関する。
【背景技術】
【０００２】
典型的な従来技術の医療用接続端子ユニットは、たとえば特許文献１に開示されている。この従来技術の医療用接続端子ユニットは、壁面に取付けられ、水平な長手方向に延びるフレームと、フレームに実装される接続端子と、接続端子が接続口を開口から露出させた状態で収容され、接続端子とともにフレームを覆うカバー体とを有する。
【０００３】
フレームは、背面板と、背面板から前方に突出する上仕切板と、上仕切板の下方で背面板から前方に突出する下仕切板とを含む。このようなフレームは、たとえばアルミニウムまたはその合金などの金属材料から成り、押出成形によって長尺材として製造される。
【０００４】
カバー体は、長手方向に平行な第１対称面に関して対称な上下の一対のカバー部材、長手方向に垂直な第２対称面に関して対称な左右の一対の側板とを有する。カバー部材はアルミニウムまたはその合金などの金属製であって押出成形によって製造される。また各側板は、たとえばＡＢＳ樹脂などの合成樹脂製であり、射出成形によって製造される。カバー部材と各側板とは、接着剤などによって一体的に固定される。
【０００５】
このような医療用接続端子ユニットは、フレームの上仕切板と下仕切板との間の中間収納空間が横方向にセパレータによって仕切られ、交流電源のコンセントなどの強電用接続端子と、ナースコールおよびテレビジョン受信機などの通信信号線が接続される弱電用接続端子と、医療用ガスおよび吸引力が導かれる接続端子との間がそれぞれ仕切られ、これらの接続端子は、各接続口がカバー体に形成される開口を介して外部に露出している。
【先行技術文献】
【特許文献】
【０００６】
【特許文献１】特開２０００−３１６９１８号公報
【発明の概要】
【発明が解決しようとする課題】
【０００７】
前記従来技術の医療用接続端子ユニットは、病室の各ベッド毎に壁面に設けられており、各接続端子がカバー体の開口を介して外部に露出している。特に、医療用ガスが導かれる接続端子および吸引力が導かれる接続端子は、患者自身への治療や処置に直接用いられるため、患者に恐怖感、違和感、嫌悪感、不安感などを生じさせる場合があり、このことは患者が小児である場合に顕著である。
【０００８】
このように病室において、患者に恐怖感、違和感、嫌悪感、不安感などを生じさせることは、患者にとって負の情動因子として作用し、ストレスになる場合があるため、従来から、ストレスを軽減することができる医療用接続端子ユニットが望まれている。
【０００９】
したがって本発明の目的は、患者へのストレスを軽減することができる医療用接続端子ユニットを提供することである。
【課題を解決するための手段】
【００１０】
本発明は、長尺材から成り、予め定める壁面に長手方向をほぼ水平にして固定されるフレームと、
フレームに設けられ、医療用ガスが供給される接続端子と、
フレームに装着されるカバー本体であって、
フレームを上方から覆う上壁部、
フレームを前方から覆い、接続端子の少なくとも一部が露出する開口が形成される前壁部、
フレームを下方から覆う下壁部、
フレームを長手方向一方側から覆う一方の側壁部、および
フレームを長手方向他方側から覆う他方の側壁部を有するカバー本体と、
カバー本体の前壁部の外表面に設けられ、絵柄または文字によって表わされる予め定める表示情報を表示する表示シートとを含み、
前記表示シートは、
一方表面に、前記予め定める表示情報が印刷され、他方表面に、前記前壁部の外表面に対して着脱可能に貼着する粘着剤が塗布された基層フィルムと、
前記基層フィルムの前記予め定める表示情報が印刷された一方表面を被覆する透明な表面フィルムとを含むことを特徴とする医療用接続端子ユニットである。
【００１１】
また本発明は、前記上壁部は、各側壁部間にわたって凹凸状に湾曲して延びる天板と、天板の前記予め定める壁面側に配置される一側部から上方に突出する立上がり壁部とを有し、
天板には、長手方向に沿って延びる透孔が形成され、
フレームには、前記透孔に天板の下方から光を照射する照明手段が設けられ、透孔から放出される光の一部が立上がり壁部に投射されることを特徴とする。
【００１４】
さらに本発明は、前記予め定める表示情報が、患者の情動を鎮静するための絵柄であることを特徴とする。
【００１５】
さらに本発明は、前記予め定める表示情報が、患者に関する患者関連情報であることを特徴とする。
【発明の効果】
【００１６】
本発明によれば、フレームは、長尺材から成り、予め定める壁面に長手方向をほぼ水平にして固定される。フレームには、医療用ガスが供給される接続端子が設けられるとともに、カバー本体が装着される。カバー本体は、フレームを上方から覆う上壁部、フレームを前方から覆い、接続端子の少なくとも一部が露出する開口が形成される前壁部、フレームを下方から覆う下壁部、フレームを長手方向一方側から覆う一方の側壁部、およびフレームを長手方向他方側から覆う他方の側壁部を有し、前壁部の外表面には予め定める表示情報を表示する表示シートが設けられる。
【００１７】
このように医療用接続端子ユニットの前壁部に表示シートが設けられ、この表示シートによって予め定める表示情報を、絵柄または文字によって表示することができるので、このような表示情報が表示されない場合に比べて、患者の関心を表示情報へ誘導し、医療用接続端子ユニットの治療や処置を行う際に用いられる医療用機器としての外観上の認識を不明確化ないしは曖昧化して、恐怖感、違和感、嫌悪感、不安感などを緩和し、患者のストレスを軽減することができる。
【００１８】
また本発明によれば、カバー本体の上壁部は、天板が各側壁部間にわたって凹凸状に湾曲し、この天板の一側部から立上がり壁部が上方に突出し、照明手段からの光が前記凹凸状に湾曲した天板の透孔に照射されるように構成されるので、前記透孔から外部へ光を放出し、その放出された光の一部が立上がり壁部に投射され、医療用機器としての恐怖感、違和感、嫌悪感、不安感などが緩和され、間接照明などとしての機能させることができる。
【００１９】
さらに、表示シートが前壁部の外表面に着脱可能に貼付けられる基層フィルムを有するので、フィルムの損傷、絵柄の変更などのために異なるフィルムに容易に交換することができ、利便性およびメンテナンス性を向上することができる。
【００２１】
さらに本発明によれば、予め定める表示情報として、患者の情動を鎮静するための絵柄が用いられるので、患者ごとの臨床上の効果の相違はあっても、患者のストレスをより確実に軽減することができる。
【００２２】
さらに本発明によれば、予め定める表示情報として、患者に関する患者関連情報が用いられるので、患者ごとに異なる内容を表示して、患者および医療担当者への必要な情報を提供し、治療または療養を支援することができる。
【図面の簡単な説明】
【００２３】
【図１】本発明の一実施形態の医療用接続端子ユニット１を示す斜視図である。
【図２】図１の切断面線ＩＩ−ＩＩから見た拡大断面図である。
【図３】医療用接続端子ユニット１からカバー体７を外した状態を示す断面図である。
【図４】カバー体７が外された医療用接続端子ユニット１の内部構造を示す正面図である。
【図５】カバー体７の正面図である。
【図６】図５の上方から見たカバー体７の平面図である。
【図７】図５の下方から見たカバー体７の底面図である。
【図８】図５の背後から見たカバー体７の背面図である。
【図９】医療用接続端子ユニット１の電気的構成を示す電気回路図である。
【図１０】照明手段５０の配線系統図である。
【発明を実施するための形態】
【００２４】
図１は本発明の一実施形態の医療用接続端子ユニット１を示す斜視図であり、図２は図１の切断面線ＩＩ−ＩＩから見た拡大断面図である。本実施形態の医療用接続端子ユニット１は、たとえば病院の小児病棟の病室の壁２に、患者ベッド毎に設けられ、患者である小児にとって、自己の治療に使われる医療用機器が、自己のベッドの枕元に近接して設置されていることによる恐怖感、違和感、嫌悪感、不安感など、治療にとって有害因子となる精神的負荷を有効に軽減し、本来の治療や処置、療養を円滑に行うために有利に実施することができる。
【００２５】
医療用接続端子ユニット１は、長尺材から成り、予め定める壁面である前記病室の壁２の壁面２ａに、長手方向をほぼ水平にして固定されるフレーム３と、フレーム３に設けられ、医療用ガスが供給される複数（本実施形態では２）の接続端子４ａ，４ｂと、フレーム３に装着されるカバー本体５と、カバー本体５の前壁部４２の外表面に設けられ、予め定める表示情報を表示する表示手段としての表示シート６とを含む。
【００２６】
前記表示シート６は、予め定める表示情報が表示され、カバー本体５の後述する前壁部４２の外表面に着脱可能に貼付けられる合成樹脂製のフィルムから成る。前記予め定める表示情報は、患者の情動を鎮静するための絵柄であり、本実施形態では、軌道上を走行する蒸気機関車をアニメーション化した絵柄が、コンピュータグラフィックス（Computer 
Graphics：略称ＣＧ）によって描かれている。この絵柄においては、前記２つの接続端子４ａ，４ｂを機関車の前後の車輪に見立て、その中央に各接続端子４ａ，４ｂを模した車輪の絵柄が描かれ、各接続端子４ａ，４ｂの外見上の存在感を希薄化させている。
【００２７】
このような絵柄を前記表示情報としてフィルムに印刷し、前記カバー本体５の前壁部４２に貼付けることによって、入院中の患者、特に小児にとって、自己への治療や処置を行う際に用いられる医療用機器としての存在感が希薄となり、恐怖感、嫌悪感、違和感、不安感が小児に誘起されることを回避することができる。
【００２８】
前記表示シート６としては、ポリエチレン（Polyethylene Terephthalate；略称ＰＥＴ）製フィルムを基層とし、その表面に前述の絵柄を印刷して透明なポリカーボネート製の表面フィルムで被覆し、裏面に粘着剤を塗布した多層シートによって実現されてもよい。また表示シート６は、抗菌剤の塗布などによって抗菌加工されたフィルムを用いるようにしてもよい。本発明の他の実施形態では、前記基層は、前記ポリエチレン製フィルムに代えて、ポリ塩化ビニル（Polyvinyl Chloride；略称ＰＶＣ）製シートが用いられてもよい。また前記被覆層は、前記ポリカーボネート製フィルムに代えて、アクリル樹脂製フィルムが用いられてもよい。
【００２９】
このような表示シート６と、この表示シート６が貼付けられるカバー本体５とを含んで、カバー体７が構成される。前記表示シート６は、粘着層によってカバー本体５の前面壁４２に着脱可能に貼付けられているので、表示シート６が劣化、損傷または汚損したとき、あるいは患者に適した絵柄に変更する必要が生じたときなどには、表示シート６をカバー本体５の前面壁４２から容易に引き剥がして、新たな表示シート６に交換することができる。また、リハビリテーションなどを行うために、たとえば数字、漢字、アルファベットなどの文字または文字列もしくは花、昆虫などの各種の絵柄が表示された複数の表示シート６を予め準備しておき、所定期間ごとに段階的に交換するようにしてもよい。
【００３０】
図３は医療用接続端子ユニット１からカバー体７を外した状態を示す断面図であり、図４はカバー体７が外された医療用接続端子ユニット１の内部構造を示す正面図である。前記フレーム３は、背面板１２と、背面板１２から前方（図３の左方）に突出する上仕切板１３と、上仕切板１３の下方で背面板１２から前方に突出する下仕切板１４とを含む。
【００３１】
背面板１２の上端部１５には、壁面２ａから前方に離間し、壁面２ａに向かって開口して長手方向に延びる凹部１７が形成される。この凹部１７は、上端部１５から壁面２ａに向かって下方に傾斜した係合片１８を有する。上端部１５の最も上方に配置される上端部分１５ａは、後述の立上がり壁部４７の背面に長手方向に平行に固定される係合部材３９を下方から支持した状態で係合し、カバー本体５がフレーム３に着脱可能に装着される。このようなフレーム３は、たとえばアルミニウム合金の押出し形材から成り、長尺材として製造される。
【００３２】
壁面２ａには、取付け部材２０がビス２１によって固定される。取付け部材２０は、前記ビス２１の軸部が挿通する取付け部２２と、取付け部２２の上端部から上方（図３の上方）になるにつれて前方（図３の左方）に傾斜して延びる係合受部２３とを有する。係合受部２３には、フレーム３の係合片１８が上方から係合して掛け止められる。また、フレーム３の背面板１２の下端部２４は、ビス２５によって壁２に固定される。こうしてフレーム３がその長手方向をほぼ水平にして、壁面２ａに固定される。
【００３３】
背面板１２の上端部１５と上仕切板１３との間には、上収納空間２６が形成される。また背面板１２の前方でかつ上下の仕切板１３，１４間には、中間収納空間２７が形成される。背面板１２と下仕切板１４とによって下収納空間２８が形成される。
【００３４】
中間収納空間２７には、各接続端子４ａ，４ｂが収容される。各接続端子４ａ，４ｂは、大略的に直円柱状であって、基部３０に環状に操作具３１が軸線方向に移動可能に装着され、基部３０と操作具３１との間には圧縮コイルばね３２が装着される。圧縮コイルばね３２は、操作具３１を基部３０から軸線上で離反する方向にばね付勢し、操作者が操作具３１を前記ばね力に抗して押圧することによって、基部３０に中央に設けられる接続孔３３に挿入状態で気密に係止されていたプラグ（図示せず）の係止状態を解除して、接続孔３３から引抜いて離脱させることができる。
【００３５】
基部３０には、図示しない圧力容器から医療用ガスを導く配管３４が接続される。医療用ガスは、酸素ガス、笑気ガスおよび空気などであるが、本実施形態では、一方の接続端子４ａに酸素ガスが配管３４によって供給される。他方の接続端子４ｂには、該接続端子４ｂの基部３０に接続された配管３５によって、図示しない吸引源からの吸引力が導かれる。
【００３６】
図５はカバー体７の正面図であり、図６は図５の上方から見たカバー体７の平面図であり、図７は図５の下方から見たカバー体７の底面図であり、図８は図５の背後から見たカバー体７の背面図である。なお、図５〜図８は、図解を容易にするため、表示シート６は省略して示されている。カバー体７は、前述したように、カバー本体５と表示シート６とを含む。カバー本体５は、フレーム３を上方から覆う上壁部４０と、フレーム３を前方から覆い、接続端子４ａ，４ｂの少なくとも一部が露出する開口４１ａ，４１ｂが形成される前壁部４２と、フレーム３を下方から覆う下壁部４３と、フレーム３を長手方向一方側から覆う一方の側壁部４４と、フレーム３を長手方向他方側から覆う他方の側壁部４５を有する。カバー本体５は、たとえばＡＢＳ樹脂などの合成樹脂製であり、圧空成形または射出成形等によって一体成形される。
【００３７】
カバー本体５の上壁部４０は、各側壁部４４，４５間にわたって凹凸状に湾曲して延びる天板４６と、天板４６の壁面２ａ側に配置される一側部から上方に突出する立上がり壁部４７とを有する。天板４６には、長手方向に沿って延びる透孔４８が形成される。フレーム３には、前記透孔４８に天板４６の下方から光を照射する照明手段５０が設けられる。
【００３８】
図９は照明手段５０の配線系統図である。前記照明手段５０は、光源ユニット５１と、ブリッジ整流器５２と、平滑コンデンサ５３と、抵抗器５４と、可変抵抗器５５とを含む。
【００３９】
光源ユニット５１は、直列に接続された複数（本実施形態では４）の発光素子５６ａ〜５６ｄによって構成される。各発光素子５６ａ〜５６ｄは、たとえば出力が約０．６Ｗの発光ダイオード（Light Emitting Diode；略称ＬＥＤ）によって実現され、順方向にバイアスされることによって白色で発光するように構成される。そのため、本実施形態では、天板４６の透孔４８が、帯状の透光性合成樹脂から成る可撓性の照明用カバー部材４９によって天板４６の下方から覆われている。このような照明用カバー部材４９は、天板４６の下面に接着剤による接着によって固定されてもよく、天板４６の透孔４８に近接する部位に、前記照明用カバー部材４９の幅方向両側部が長手方向に移動自在に嵌まり込む嵌合片を、図２の仮想線４６ａで示されるように形成して、照明用カバー部材４９を天板４６に着脱可能に設け、異なる色の照明用カバー部材４９に交換することができるように構成されてもよい。
【００４０】
ブリッジ整流器５２は、たとえば４つのダイオードを使って整流するブリッジ形全波整流回路によって実現される。ブリッジ整流器５２の２つの入力端には、配線５７，５８がそれぞれ接続され、各配線５７，５８には電源用入力端子５９，６０がそれぞれ設けられる。各電源用入力端子５９，６０には、図示しない変圧器によって商用交流電源の約１００Ｖの交流電圧から約２２．４Ｖの交流電圧に変換した交流電力が与えられる。
【００４１】
ブリッジ整流器５２の２つの出力端には、配線６１，６２がそれぞれ接続される。一方の配線６１には、抵抗器５４が直列に介在され、この抵抗器５４とブリッジ整流器５２の一方の出力端との間には、平滑コンデンサ５３の正極側端子が接続される。他方の配線６２には、平滑コンデンサ５３の負極側端子が接続される。また、一方の配線６１の抵抗器５４と光源ユニット５１との間には、可変抵抗器５５が介在される。この可変抵抗器５５によって各発光素子５６ａ〜５６ｄに印加される印加電圧を変化させ、各発光素子５６ａ〜５６ｄの発光輝度を同時に変化させて、明るさを調整することができる。
【００４２】
このような照明手段５０は、光源ユニット５１とともに共通なプリント基板上に実装され、筐体に収容された状態で、前記天板４６の下面またはフレーム３の上仕切板１３に、光源ユニット５１からの光を透孔４８へ照射させるように設置され、１つの照明ユニットとして実現される。
【００４３】
図１０は医療用接続端子ユニット１の電気的構成を示す電気回路図である。医療用接続端子ユニット１は、照明手段５０に電源電力を供給するための照明用電力線７０と、照明用電力線７０に介在され、照明手段５０への電力を供給／遮断するための電源スイッチ７１と、外部機器に電力を供給するための接続端子である２つのコンセント７２，７３と、一方のコンセント７２へ電力を供給するための外部機器用電力線７４と、外部機器用電力線７４から分岐し、他方のコンセント７３へ電力を供給するための第２の外部機器用電力線７５と、各電力線７４，７５と並列に配線される接地配線７０ａ，７４ａ，７５ａと、これらの電力線７０，７４，７５および接地配線７０ａ，７４ａ，７５ａが接続される端子板７６とをさらに含んで構成される。
【００４４】
前記電源スイッチ７１および各コンセント７２，７３は、前述の図７に示すように、カバー本体５の下壁部４３に形成される開口７８を塞ぐ合成樹脂製の底板７９に取付けられ、外部から視認しにくい位置に設けられている。これによって医療用接続端子ユニット１の意匠上の美観を向上するとともに、医療用機器としての違和感、恐怖感、嫌悪感、不安感などの軽減が図られている。
【００４５】
以上のように本実施形態によれば、フレーム３は、長尺材から成り、壁面２ａに長手方向をほぼ水平にして固定され、医療用ガスが供給される接続端子４ａおよび吸引力が導かれる接続端子４ｂが設けられ、カバー本体５が着脱可能に装着される。カバー本体５は、フレーム３を上方から覆う上壁部４０、フレーム３を前方から覆い、接続端子４ａ，４ｂの少なくとも一部が露出する開口４１ａ，４１ｂが形成される前壁部４２、フレーム３を下方から覆う下壁部４３、フレーム３を長手方向一方側から覆う一方の側壁部４４、およびフレーム３を長手方向他方側から覆う他方の側壁部４５を有し、前壁部４２の外表面には予め定める表示情報を表示する表示シート６が設けられる。表示シート６には、前壁部４２の開口４１ａ，４１ｂに対応する位置に同様な開口６ａ，６ｂが形成される。
【００４６】
このように医療用接続端子ユニット１の前壁部４２に表示シート６が設けられ、この表示シート６によって予め定める表示情報、たとえば絵柄および文字などの任意の情報を表示情報として表示することができるので、このような表示情報が表示されない場合に比べて、患者の関心を表示情報へ誘導し、医療用接続端子ユニット１の医療用機器としての外観上の認識を不明確化ないしは曖昧化して、恐怖感、違和感、嫌悪感、不安感などを緩和し、患者である利用者へのストレスを軽減することができる。
【００４７】
また、カバー本体５の上壁部４０は、天板４６が各側壁部４４，４５間にわたって凹凸状に湾曲し、この天板４６の一側部から立上がり壁部４７が上方に突出し、照明手段５０からの光が前記凹凸状に湾曲した天板４６の透孔４８に照射されるように構成されるので、前記透孔４８から外部へ光を放出し、その放出された光の一部が立上がり壁部４７に投射される。これによってもまた、医療用接続端子ユニット１の医療用機器としての恐怖感、違和感、嫌悪感、不安感などが緩和され、間接照明などとして機能させることができる。
【００４８】
さらに、表示シート６が前壁部４２の外表面に着脱可能に貼付けられるフィルムによって実現されるので、フィルムの損傷、絵柄の変更などのために異なるフィルムに容易に交換することができ、利便性のメンテナンス性を向上することができる。
【００４９】
さらに、予め定める表示情報として、前述のように、患者の情動を鎮静するための絵柄が用いられるので、個体による臨床上の効果の相違はあっても、患者のストレスをより確実に軽減することができる。
【００５０】
本発明の他の実施形態では、表示シート６に代えて予め定める表示情報を表示可能な液晶表示パネルによって表示手段が実現されてもよい。これによって、動画および静止画のいずれによっても予め定める表示情報を表示することができる。また、予め定める表示情報は、任意のキャラクタの絵柄、写真、文字などをカラー表示可能であるので、表示内容を多様化し、目的に応じた表示態様で多種の内容を容易に表示することができる。
【００５１】
本発明のさらに他の実施形態では、予め定める表示情報として、患者に関する患者関連情報、たとえば検査日程、投薬時間、患者名、担当医名、食事制限の有無などが絵柄とともに、または単独で表示されてもよい。これによって、患者ごとに異なる内容を表示して、患者および医療担当者への必要な情報を提供し、治療または療養を支援することができる。
【００５２】
本発明のさらに他の実施形態では、前記立上がり壁部４７の正面側に臨む表面に、前記表示シート６と同様に、絵柄が表記された表示シートを表示手段として剥離可能に:貼着するようにしてもよく、液晶表示パネルを設けて、任意の静止画、動画、メッセージまたはそれらを組み合わせて表示するようにしてもよい。
【符号の説明】
【００５３】
１  医療用接続端子ユニット
２  病室の壁
２ａ  壁２の壁面
３  フレーム
４ａ，４ｂ  接続端子
５  カバー本体
６  表示シート
７  カバー体
１２  背面板
１３  上仕切板
１４  下仕切板
１５  背面板１２の上端部
１７  凹部
１８  係合片
２６  上収納空間
２７  中間収納空間
２８  下収納空間
３０  基部
３１  操作具
３２  圧縮コイルばね
３３  接続孔
３４，３５  配管
４０  上壁部
４１ａ，４１ｂ  開口
４２  前壁部
４３  下壁部
４４  一方の側壁部
４５  他方の側壁部
４６  天板
４７  立上がり壁部
４８  透孔
５０  照明手段
【図１】
0005666881.tif 000002
【図２】
0005666881.tif 000003
【図３】
0005666881.tif 000004
【図４】
0005666881.tif 000005
【図５】
0005666881.tif 000006
【図６】
0005666881.tif 000007
【図７】
0005666881.tif 000008
【図８】
0005666881.tif 000009
【図９】
0005666881.tif 000010
【図１０】
0005666881.tif 000011